(57)【要約】      （修正有）【課題】歩行の際に生じる身体への負担を軽減し人々がより心地よく歩ける日々を過ごし、関連する各種業界の活性化が望める、強い弾力を持ちながら日常的に使用できる履き物を提供する。【解決手段】２枚以上の合板材を履き物後方にかけて開いた状態で張り合わせた構造を履き物の台に用いることで、履き物かかと部に弾力を持つ履き物を製造する。この履き物を履いて歩くことで歩を進めるごとに履き物と足との間に弾力が生じ、地面から身体に伝わる衝撃の軽減と面白みのある履き心地を提供する。さらに合板材の枚数を増やすことや弾性体を併設すること等により、幅広い使用者や使用目的に合わせた弾力の調節が可能であり、広く一般的に使用できる履き物として提供することが出来る。【選択図】図１
0003209474.tif 000002
【実用新案登録請求の範囲】
【請求項１】
履き物の台の構造に於いて、台を成す２枚以上の合板材が履き物後方にかけて開いた状態で張り合わされた、履き物かかと部に弾力を有する履き物。
【請求項２】
履き物の台の構造に於いて、台を成す２枚以上の合板材の間に生じる間隙に弾性体を設けた請求項１記載の履き物かかと部に弾力を有する履き物。
【請求項３】
履き物の台の構造に於いて、台を成す合板材が前方から後方斜め上方にかけてつながり、かかと部の高さを頂点とし履き物底面にかけて該合板材が曲面を含む連続形状で形成された履き物かかと部に弾力を有する履き物。
【考案の詳細な説明】
【技術分野】
【０００１】  本考案は履き物の弾力構造についてのもので、より大きい弾力を有する履き物の弾力構造に関するものである。
【背景技術】
【０００２】  履き物の弾力構造は数多く存在する。先ず一例として、空気を充鎮した小型の風船状の弾性体を履き物（靴）の底部に設け、人が使用する際に体重がかかるメカニズムを基に科学的根拠を追究し産業上の成功を収めている構造を有す例がある。また他の例で、履き物の底面に復元性のある弾性発泡部材を使用し構造体としている例等がある。以上に挙げる弾力構造を有する履き物は歩行にも走る場合にも快適であり、各々の使用目的に十分に応えている。しかしながら弾力が従来に無く大きく、更に日常生活で普通に使用が可能という両者を満足する条件を持つ履き物は存在しない。そこで弾力が大きい履き物の例として、公開特許公報（Ａ）特開平６−１８９８０１がある。これは著名な発明家であるドクター中松氏による発明のジャンピングシューズである。この構造は高くジャンプ出来る程の強い弾力を有するものだが、用途の特殊性という点から日常的な商品としての市民権を得ていない。【０００３】  本考案に似た発明が特許第１５１６号で公開されているが、この発明の弾力構造は鼻緒部材の弾力を主に利用したものであるため強い弾力を発生できない構造的問題点があることが挙げられる。本考案による履き物の弾力構造はこのような従来の弾力構造の改善や技術的進歩が期待されるものである。
【先行技術文献】
【特許文献】
【０００４】
【特許文献１】特開平６−１８９８０１
【特許文献２】特開２００７−８２９７
【特許文献３】特許第１５１６号
【考案が解決しようとする課題】
【０００５】  従来の弾力を有する履き物は、前記の通り履き物後方部等に弾力構造を設けてはいるが、弾力が大きい製品はほとんど無い。、また、日常生活に使用する用途の幅が狭い点等の問題点がある。本考案はこれらの問題点を踏まえ、構造が簡単でクッション弾力が大きくしかも製造コストが低い製品を提供し様々な利点を備えた一般市民に馴染む履物を製造可能とするところにあり、本考案はその課題を解決しようとするものである。
【考案の効果】
【０００６】  本考案の履物による効果について、次に列記する。
（１）本考案の履き物を履いて歩行する時地面から伝わる衝撃を和らげ、足を通じた身体の負担を和らげる。
（２）本考案の履き物を履いて歩行する時板バネの効果により足のかかと部が前方に押し出され楽に歩行が進む。
（３）本考案から派生する形状はデザインの広がりがあり様々なデザインの履き物を製造することで、これに合うファッションの広がりが期待でき経済効果の点に於いても活性の一助となり得る。
（４）本考案による製品により日本の文化、伝統工芸である下駄を更に発展させ、現代の生活様式に沿う方向に再構築し産業上で活用することは、文化の継承のみならず関連する各業界の経済活性に結びつき産業界の向上となる。
以上のような効果が生まれ具体的に活動することにより社会に貢献し産業界の発展を強く望むものである。
【考案が課題を解決するための手段】
【０００７】  請求項１に記載の考案は、履き物の台の構造に於いて、台を成す２枚以上の合板材が履き物後方にかけて開いた状態で張り合わされた、履き物かかと部に弾力を有する履き物である。
【０００８】  請求項２に記載の考案は、履き物の台の構造に於いて、台を成す２枚以上の合板材の間に生じる間隙に弾性体を設けた請求項１記載の履き物かかと部に弾力を有する履き物である。
【０００９】  請求項３に記載の考案は、履き物の台の構造に於いて、台を成す合板材が前方から後方斜め上方にかけてつながり、かかと部の高さを頂点とし下方に履き物底面にかけて該合板材が曲面を含む連続形状で形成された履き物かかと部に弾力を有する履き物である。
【考案を実施するための形態】
【００１０】  履き物の台を構成する２枚以上の合板材が履き物後方にかけて開いた構造がバネ効果を生み、この構造を持つ履き物で歩行する際、かかと部に大きな弾力が生じる。また、上記構造に加え収縮と復元の性質を持つ弾性発泡部材を上記構造体と併せて設けることにより、足に伝わる弾力が変化し、弾性発泡部材の量や反発応力の調節を行うことにより、かかと部にかかる弾力が適度に伝達される。
【実施例】
【００１１】  以下図を基に説明する。先ず図１〜図１２は、図１６〜図２７の斜視図から示す本考案の履き物の構造を表す側面図である。【００１２】  図１、図２（図１６、図１７斜視図参照）は請求項１に示す本考案の履き物の基本構造を表す側面図である。該側面図のＡ合板材とＢ合板材はイ各合板材が開く基点（以下、基点と省略）から後方にかけて開きＡは上方向に反り、Ｂは地面に平行な状態である。【００１３】  本考案の履き物の台を構成する合板材の素材は、天然素材の木質合板、又は竹素材の合板、又は合成樹脂の合板等の強い弾力を有する素材が相応しい。上記に挙げた合板材の素材は単独の素材とは限らず、様々な素材の組み合わせによる合体部材でも良く、板バネの性質を持つ部材であれば何でも良い。本考案の特徴は合板材の弾力を履き物に応用するところにあり、履き物の台を合板材で構成することと合板材を曲げ加工する２つの要素が弾力を生むために不可欠な要素である。【００１４】  次に図３、図４（図１８〜図１９の斜視図参照）に示す図は上記図１、図２と基本的に同様の構造である。図３Ｃ合板材は図３Ａ合板材と図３Ｂ合板材の中間に形成したものである。また、図４Ｄ合板材は前記図３Ａと図３Ｃの合板材の後端を連結して形成したものである。【００１５】  以上述べた図３、図４に示す上記弾力構造は基本構造として図１、図２と同様であるが、合板材が１枚多く形成されるため上部からの負荷に対しての応力の限度能力が高くなる。例えば体重が重い人用の対策や、走る時の対策としての効果があり、大きな重量負荷への対策として構造上の問題を解決している。【００１６】  次に図５〜図８（図２０〜図２３の斜視図参照）について説明する。これらは請求項２に示す構造例であり、Ａ合板材とＢ合板材が履き物後方に開く間に弾性発泡部材を設けた構造である。次に順に説明する。【００１７】  図５（図２０斜視図参照）はＡ合板材とＢ合板材が開くイ基点から履き物後方へ短い距離にかけてＥ弾性発泡部材を設けた構造である。図６（図２１斜視図参照）は同じ要領でＡ合板材の後端部からＢ合板材の後端部に渡りＥ弾性発泡部材を設けた構造である。図７（図２２斜視図参照）は図５の構造と図６の構造を併せた構造である。図８（図２３斜視図参照）はＡ合板材とＢ合板材が開いた間の全体にＥ弾性発泡部材を設けた構造である。【００１８】  図５に於いてＥ弾性発泡部材を設ける理由は、この部分は当該形状の履き物を履いて歩行する際に土や小石が入り込み、固まって取れなくなることや小石が固定され合板材の弾力が機能しなくなるといった問題を解決するためである。【００１９】  図６、図７、図８の例に於けるＡ合板材、Ｂ合板材の弾力と弾性発泡部材の関係は、Ａ合板材の弾力の補強をする役割として、その反発応力を持つ弾性発泡部材を設けることが不可欠である。例えば図６、図７、図８のＥ弾性発泡部材はＡ合板材の弾力が足りない場合、製造目的に沿った弾力に合わせＥ弾性発泡部材の反発応力に合わせた種別のＥ弾性発泡部材を選択する。Ｅ弾性発泡部材にはその発泡倍率の違いや樹脂素材の種別等の条件により製品の反発応力に差があるが、各種各条件による部材の性質と照らし合わせ各履き物構造の選択をする。【００２０】  図���〜図１２（図２４〜図２７斜視図参照）について述べる。これらの図は全て請求項３について実施例として挙げた側面図である。ここに図示する構造は共通して合板材の連続構造で構成され板バネ効果を生んでいる点が前出請求項１、請求項２で構成される構造と異なる点が特徴である。順に説明する。【００２１】  図９Ａ合板材は合板という性質より曲面の曲げ加工が可能となり、しかも合板材は重層のため曲げ強度が強く極度に曲げた合板材は強い弾力を持つ。この性質を図９ニ曲げ部に応用し発生した板バネ効果が、よりかかと部に大きな弾力を発生する結果となる。【００２２】  図１１ホ接面部は曲線を持つ構造ではなく、２枚の板状材が固着された部材である。図１１Ａ，図１１Ｂの合板材の素材が木や竹の天然素材の場合曲げ加工が難しく強度の点で問題があるため図の様に接合して固着する構造が相応しい。【００２３】  図１０は図９に示す構造で履き物後方部に位置する板状材に弾性発泡部材を固着した構造例である。ここに示す図例も前記と同様に図９のＡ合板材に生じる弾力に加え、Ｅ弾性発泡部材の弾力が加わりより大きいバネ効果が生じる構造である。図１２は図１１に示す構造の履き物後方部に位置する合板材に弾性発泡部材を同様に設けた例である。以上、上記の連続した硬質板状材で構成する各種構造はシンプルであり部材の構造から製造コストの低減にも結びつくといった利点がある。【００２４】  図１３、図１４、図１５はその他の実施例である。この例は履き物底部に弾性体を設けた構造であり、弾力による衝撃を和らげる効果のある構造である。【００２５】  本考案において履き物の台とは、履き物の足裏に位置する足の下部の構造体を指し、下駄に限らず靴やブーツ、サンダル等全てを対象として履き物の台と言う。【００２６】  本考案において、合板材とは木材を重層にして接合した板状材に限らず、竹素材、天然素材、合成樹脂、金属類、その他の全般の素材からなる重層の板状材を指し、これら種類の異なる素材を組み合わせた合板材も含めたものを言う。【００２７】  本考案において弾性体とは収縮や変形はするが元の形に復元する性質を持つ部材を指す。具体的には弾性発泡部材、天然ゴムや合成ゴム、合成樹脂、金属性バネ、等を指しこの性質を持つ部材の全てを言う。
【図面の簡単な説明】
【図１】は、本考案の履き物の台を構成する２枚を重ねた合板材が基点より後方に開いた場合の例を示す側面図である。
【図２】は、本考案の履き物の台を構成する２枚を重ねた合板材が基点より後方に開き、該２枚の板状材が曲面の場合の例を示す側面図である。
【図３】は、本考案の履き物の台を構成する２枚を重ねた合板材が基点より後方に３枚に開いた場合の例を示す側面図である。
【図４】は、本考案の履き物の台を構成する各合板材が基点より３枚に開き上部２枚の後端部が連結固着された場合の例を示す側面図である。
【図５】は、本考案の履き物の台を構成する各合板材が基点より２枚に開き、開いた２枚の合板材の間に基点より履き物後方に短い距離に弾性発泡部材を設けた場合の例を示す側面図である。
【図６】は、本考案の履き物の台を構成する各合板材が基点より２枚に開き、開いた２枚の合板材の間に各合板材後端部を結ぶ面から履き物前方へ短い距離にかけて弾性発泡部材を設けた場合の例を示す側面図である。
【図７】は、本考案の履き物の台を構成する各合板材が基点より２枚に開き、該２枚の板状材が各々曲面加工され、開いた２枚の板状材の間に部分的に弾性発泡部材を２ヵ所設けた場合の例を示す側面図である。
【図８】は、本考案の履き物の台を構成する各合板材が基点より２枚に開き、開いた２枚の合板材の間に該合板材後端を結ぶ面から履き物前方へ全体に弾性発泡部材を設けた場合の例を示す側面図である。
【図９】は、本考案の履き物の台が１枚の合板材で構成された場合の例を示す側面図である。
【図１０】は、本考案の履き物の台が１枚の合板材で構成された場合の例を示す側面図である。
【図１１】は、本考案の履き物の台が２枚連結の合板材で構成され、その接面が連結固着された場合の例を示す側面図である。
【図１２】は、本考案の履き物の台が２枚連結の合板材で構成され、その接面が連結固着され、更に該構成部材の一部に弾性発泡部材を設けた構造例を示す側面図である。
【図１３】は、本考案の履き物の台が連続した合板材で構成された部材に加え、１枚の弾性部材からなる板状材を履き物最下面に設け、更に該２枚の間に弾性発泡部材が設けたその他の構造例を示す側面図である。
【図１４】は、本考案の履き物のその他の例を示す側面図である。
【図１５】は、本考案の履き物のその他の例を示す側面図である。
【図１６】は、図１記載の本考案の履き物の一例を示す斜視図である。
【図１７】は、図２記載の本考案の履き物の一例を示す斜視図である。
【図１８】は、図３記載の本考案の履き物の一例を示す斜視図である。
【図１９】は、図４記載の本考案の履き物の一例を示す斜視図である。
【図２０】は、図５記載の本考案の履き物の一例を示す斜視図である。
【図２１】は、図６記載の本考案の履き物の一例を示す斜視図である。
【図２２】は、図７記載の本考案の履き物の一例を示す斜視図である。
【図２３】は、図８記載の本考案の履き物の一例を示す斜視図である。
【図２４】は、図９記載の本考案の履き物の一例を示す斜視図である。
【図２５】は、図１０記載の本考案の履き物の一例を示す斜視図である。
【図２６】は、図１１記載の本考案の履き物の一例を示す斜視図である。
【図２７】は、図１２記載の本考案の履き物の一例を示す斜視図である。
【図２８】は、図１３記載の本考案の履き物の一例を示す斜視図である。
【図２９】は、図１４記載の本考案の履き物の一例を示す斜視図である。
【図３０】は、図１５記載の本考案の履き物の一例を示す斜視図である。
【符号の説明】Ａ、合板材
Ｂ、合板材
Ｃ、合板材
Ｄ、連続合板材
Ｅ、弾性発泡部材
Ｆ、硬質材
Ｇ、弾性体
イ、各合板材が開く基点
ロ、かかと接面部
ハ、湾曲部
ニ、曲げ部
ホ、接面部
ヘ、鼻緒又はバンド
ト、合板材が斜め上方向に形成変化する基点
あ、台
【図１】
0003209474.tif 000003
【図２】
0003209474.tif 000004
【図３】
0003209474.tif 000005
【図４】
0003209474.tif 000006
【図５】
0003209474.tif 000007
【図６】
0003209474.tif 000008
【図７】
0003209474.tif 000009
【図８】
0003209474.tif 000010
【図９】
0003209474.tif 000011
【図１０】
0003209474.tif 000012
【図１１】
0003209474.tif 000013
【図１２】
0003209474.tif 000014
【図１３】
0003209474.tif 000015
【図１４】
0003209474.tif 000016
【図１５】
0003209474.tif 000017
【図１６】
0003209474.tif 000018
【図１７】
0003209474.tif 000019
【図１８】
0003209474.tif 000020
【図１９】
0003209474.tif 000021
【図２０】
0003209474.tif 000022
【図２１】
0003209474.tif 000023
【図２２】
0003209474.tif 000024
【図２３】
0003209474.tif 000025
【図２４】
0003209474.tif 000026
【図２５】
0003209474.tif 000027
【図２６】
0003209474.tif 000028
【図２７】
0003209474.tif 000029
【図２８】
0003209474.tif 000030
【図２９】
0003209474.tif 000031
【図３０】
0003209474.tif 000032